(57)【要約】【課題】冷蔵室２６の容積を拡大して、収納物量を多くするとともに送風機３４や冷蔵室温調操作部５１の組み立てを容易にして、組み立て工数を削減して低コスト化を図る冷蔵庫を提供すること。【解決手段】断熱仕切壁２５内の冷気吐出通路５０に配置した送風機３４と、送風機３４の上方に断熱仕切壁２５の上板３７ｂを突出させて設けた断熱仕切壁立ち上がり部４７と、断熱仕切壁立ち上がり部４７の天井部４８に設けた冷気開口４９と、冷気吐出通路５０と冷気開口４９の間の送風機３４の下流側に、冷蔵室２６の温度調節を行う冷蔵室温調操作部５１を設けたものであり、冷蔵室ダクト４０の上部に冷蔵室２６に突出するような大きな構造物を構成する必要がなくなり、冷蔵室２６の庫内容積を拡大するようにしている。また、組み立てを容易にすることで、シール性能の管理等の工数を削減するようにしている。【選択図】図１
2011247561.tif 000002
【特許請求の範囲】
【請求項１】
断熱箱体と、この断熱箱体の上部に設けた冷蔵室と、前記断熱箱体の下部に設けた冷凍室と、前記冷蔵室と冷凍室を仕切る断熱仕切壁と、前記冷蔵室の背面に設け、冷気を下から上に向かって供給する冷蔵室ダクトと、この冷蔵室ダクトの内壁を構成し、冷気通路を形成した断熱部と、前記冷蔵室ダクトの側面に設けた複数個の側面吐出口と、この側面吐出口の下方の前記冷蔵室ダクトの一部に設けた吸入口とを備え、前記断熱仕切壁内の冷気吐出通路に配置した送風機と、この送風機の上方に断熱仕切壁の上板を突出させて設けた断熱仕切壁立ち上がり部と、この断熱仕切壁立ち上がり部の天井部に設けた冷気開口と、前記冷気吐出通路と冷気開口の間の送風機の下流側に、冷蔵室の温度調節を行う冷蔵室温調操作部を設けた冷蔵庫。
【請求項２】
断熱仕切壁立ち上がり部は、冷蔵室の背面に冷蔵室ダクトを装着することで、冷気吐出通路と冷気開口が一体化した通路に構成された請求項１項に記載の冷蔵庫。
【請求項３】
断熱仕切壁立ち上がり部は、冷蔵室ダクトを外すことで、送風機または冷蔵室温調操作部を着脱自在にするようにした請求項１または２項に記載の冷蔵庫。
【請求項４】
送風機は、断熱仕切壁の正面からの投影面積内に配置した請求項１〜３のいずれか１項に記載の冷蔵庫。
【請求項５】
断熱仕切壁立ち上がり部は、正面側の側部に送風機を着脱するための正面開口を設けた請求項１〜４のいずれか１項に記載の冷蔵庫。
【請求項６】
送風機は、断熱仕切壁立ち上がり部内に配置した請求項１〜５のいずれか１項に記載の冷蔵庫。
【請求項７】
冷蔵室ダクトは、上部冷蔵室ダクトと下部冷蔵室ダクトに分割構成され、この下部冷蔵室ダクトを外すことで、送風機または冷蔵室温調操作部を着脱自在にするようにした請求項１から６のいずれか１項に記載の冷蔵庫。
【発明の詳細な説明】
【技術分野】
【０００１】
本発明は、断熱仕切壁に冷蔵室の温度調節手段を設けた冷蔵庫に関するものである。
【背景技術】
【０００２】
従来、この種の冷蔵庫は、冷蔵室の背後に冷却器からの冷気を冷蔵室の上端部に吹き上げる上下方向に延びる吹き上げダクトを設け、この吹き上げダクトの上端にダンパ部を設けて、冷却器から冷蔵室内に供給される冷気の量を調節するダンパサーモを配設している（例えば、特許文献１参照）。
【０００３】
図６は、前記広報に記載された従来の冷蔵庫の部分断面を示すものである。図６に示すように、冷蔵庫１は、上段に設けた冷蔵室２と、中段に設けた野菜室３と、下段に設けた冷凍室４を設けている。冷蔵室２には、上下に複数段の収納棚５が設けられている。冷凍室４の背後には、冷却器６が配され、その上方の野菜室３の背後に冷却器６で生じた冷気７を庫内に循環させる送風ファン８が配されている。
【０００４】
冷蔵室２の背後には、その幅方向中央に上下方向に延びる吹き上げダクト９が設けられている。この吹き上げダクト９は、下端が冷却器６および送風ファン８が配された冷気流路１０に接続され、そこから上方に延びて冷蔵室２の最上端で終端している。これにより、下方に配された冷却器６からの冷気７が、送風ファン８の作用により、吹き上げダクト９内を通って、冷蔵室２の最上段まで吹き上げられている。
【０００５】
この吹き上げダクト９の上端に冷却器６から冷蔵室２内に供給される冷気７の量を調節するダンパ部１１が設けられ、このダンパ部１１にダンパサーモ１２が配設されている。
【先行技術文献】
【特許文献】
【０００６】
【特許文献１】特開２００２−２２３４０号公報
【発明の概要】
【発明が解決しようとする課題】
【０００７】
しかしながら、前記従来の構成では、冷蔵室２の上部にダンパ部３４が突出して、冷蔵室２の上部の容積が不足して収納物が入らないという課題を有していた。
【０００８】
また、吹き上げダクト９やダンパ部１１の接続部分が多く、シールに対する構成に工数がかかるという課題を有していた。
【０００９】
本発明は、前記従来の課題を解決するもので、冷蔵庫の冷蔵室の容積拡大と吹き上げダクト９やダンパ部１１の組み立て性の向上とシールの強化を目的とする。
【課題を解決するための手段】
【００１０】
前記従来の課題を解決するために、本発明の冷蔵庫は、断熱箱体と、断熱箱体の上部に設けた冷蔵室と、断熱箱体の下部に設けた冷凍室と、冷蔵室と冷凍室を仕切る断熱仕切壁と、冷蔵室の背面に設け、冷気を下から上に向かって供給する冷蔵室ダクトと、冷蔵室ダクトの内壁を構成し、冷気通路を形成した断熱部と、冷蔵室ダクトの側面に設けた複数個の側面吐出口と、側面吐出口の下方の前記冷蔵室ダクトの一部に設けた吸入口とを備え、断熱仕切壁内の冷気吐出通路に配置した送風機と、送風機の上方に断熱仕切壁の上板を突出させて設けた断熱仕切壁立ち上がり部と、断熱仕切壁立ち上がり部の天井部に設けた冷
気開口と、冷気吐出通路と冷気開口の間の送風機の下流側に、冷蔵室の温度調節を行う冷蔵室温調操作部を設けたものである。
【００１１】
これによって、冷蔵室ダクトの上部に冷蔵室に突出するような大きな構造物を構成する必要がなくなり、冷蔵室の庫内容積を拡大するようにしている。
【００１２】
また、組み立てを容易にすることで、シール性能の管理等の工数を削減するようにしている。
【発明の効果】
【００１３】
本発明の冷蔵庫は、冷蔵室の容積を拡大して、収納物量を多くするとともに冷蔵室ダクトや冷蔵室温調操作部の組み立てを容易にして、組み立て工数を削減して低コスト化を行うことができる。
【図面の簡単な説明】
【００１４】
【図１】本発明の実施の形態１における冷蔵庫の断面図
【図２】本発明の実施の形態１における冷蔵庫の要部断面図
【図３】本発明の実施の形態１における冷蔵庫の要部断面図
【図４】本発明の実施の形態２における冷蔵庫の要部断面図
【図５】本発明の実施の形態３における冷蔵庫の要部断面図
【図６】従来の冷蔵庫の部分断面図
【発明を実施するための形態】
【００１５】
第１の発明は、断熱箱体と、断熱箱体の上部に設けた冷蔵室と、断熱箱体の下部に設けた冷凍室と、冷蔵室と冷凍室を仕切る断熱仕切壁と、冷蔵室の背面に設け、冷気を下から上に向かって供給する冷蔵室ダクトと、冷蔵室ダクトの内壁を構成し、冷気通路を形成した断熱部と、冷蔵室ダクトの側面に設けた複数個の側面吐出口と、側面吐出口の下方の前記冷蔵室ダクトの一部に設けた吸入口とを備え、断熱仕切壁内の冷気吐出通路に配置した送風機と、送風機の上方に断熱仕切壁の上板を突出させて設けた断熱仕切壁立ち上がり部と、断熱仕切壁立ち上がり部の天井部に設けた冷気開口と、冷気吐出通路と冷気開口の間の送風機の下流側に、冷蔵室の温度調節を行う冷蔵室温調操作部を設けたことにより、冷蔵室ダクトの上部に冷蔵室に突出するような大きな構造物を構成する必要がなくなり、冷蔵室の庫内容積を拡大し、収納物量を多くすることができる。
【００１６】
また、組み立てを容易にすることで、シール性能の管理等の工数を削減するようにして、低コスト化を行うことができる。
【００１７】
第２の発明は、特に、第１の発明の断熱仕切壁立ち上がり部は、冷蔵室の背面に冷蔵室ダクトを装着することで、冷気吐出通路と冷気開口が一体化した通路に構成されたことにより、冷蔵室ダクトの断熱部で構成した冷気通路との連通構成とシール構成が冷蔵室ダクトの装着だけで完結することになり、組み立てを簡素化し短時間化して低コスト化を行うことができる。
【００１８】
第３の発明は、特に、第１または第２の発明の断熱仕切壁立ち上がり部は、冷蔵室ダクトを外すことで、送風機または冷蔵室温調操作部を着脱自在にするようにしたことにより、送風機または冷蔵室温調操作部の点検や部品の交換を短時間に行うことができる。
【００１９】
第４の発明は、特に、第１〜第３のいずれか１つの発明の送風機は、断熱仕切壁の正面からの投影面積内に配置したことにより、送風機を冷却器室に配置するような構成がなくなり、冷却器室の占有スペースを小さくすることが可能で、その分冷凍室等の内容積を拡
大し、収納量を多くすることができる。
【００２０】
第５の発明は、特に、第１〜第４のいずれか１つの発明の断熱仕切壁立ち上がり部は、正面側の側部に送風機を着脱するための正面開口を設けたことにより、冷蔵室ダクトを外すことで、正面開口が露出して、送風機の着脱を容易に行うことになり、メンテナンスを短時間で行うことができる。
【００２１】
第６の発明は、特に、第１〜第５のいずれか１つの発明の送風機は、断熱仕切壁立ち上がり部内に配置したことにより、断熱仕切壁立ち上がり部に送風機専用の区間が構成することになり、断熱仕切壁の冷気通過のための開口を小さくし、断熱仕切壁の断熱領域が増加し、冷凍室の断熱性能を向上することができる。
【００２２】
第７の発明は、特に、第１〜第６のいずれか１つの発明の冷蔵室ダクトは、上部冷蔵室ダクトと下部冷蔵室ダクトに分割構成され、この下部冷蔵室ダクトを外すことで、送風機または冷蔵室温調操作部を着脱自在にしたことにより、送風機または冷蔵室温調操作部の点検や交換を短時間に行うことができ、またシールの再生作業も小さい範囲で行うので、シール性能の不具合を防止鶴ことができる。
【００２３】
以下、本発明の実施の形態について図面を参照しながら説明する。なお、本実施の形態によって本発明が限定されるものではない。
【００２４】
（実施の形態１）
図１は、本発明の第１の実施の形態における冷蔵庫の側面の構成を示す断面図、図２は、同実施の形態の冷蔵庫の正面の要部断面図、図３は、冷蔵庫の側面の要部断面図である。
【００２５】
図１、図２、図３において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２６】
３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。送風機３４は、断熱仕切壁２５内の断熱部３６に圧入支持される。
【００２７】
このため、送風機３４は、その主要部分を断熱仕切壁２５の圧入部３５内に収容した構成となる。断熱部材３６は、ポリスチレン系樹脂（発泡スチロール）で構成されている。３７は、断熱仕切壁２５の外部を構成する樹脂部で、３７ａは、下板、３７ｂは、上板である。下板３７ａは、冷凍室２７の天井を構成し、上板３７ｂは、冷蔵室２６の底部を構成するようにしている。
【００２８】
３８は、冷蔵室２６の背面に構成された樹脂性の化粧カバーで、この化粧カバー３８の内側にポリスチレン系樹脂（発泡スチロール）で構成した断熱部３９を構成している。この化粧カバー３８と断熱部３９で冷蔵室ダクト４０を構成している。断熱部３９は、内箱２１との間に送風機３４から吐出される冷気４１を上方に導く冷気通路４２を構成している。
【００２９】
冷気通路４２は、冷蔵室２６の背面にＹの字状の通路形状を構成し、上方で冷気４１が分岐して供給するようにしている。冷蔵室ダクト４０は、冷蔵室２６の背面から突出した形状で設けられ、化粧カバー３８の上方の複数個の上部吐出口４３と、側部の複数個の側面吐出口４４から冷蔵室２６の内壁の天井や側部に向かって冷気４１を吹き出すようにしている。
【００３０】
冷蔵室ダクト４０は、側面吐出口４４の下方に吸入口４５を設け、この吸入口４５は、下方に設け、断熱仕切壁２５を貫通した吸入通路４６を介して冷蔵室２６を冷却した冷気４１を冷却器３２に戻るようにしている。吸入口４５は、冷蔵室ダクト４０の下部に設けられ、冷気通路４２と隔離され、冷蔵室ダクト４０の断熱部３９の外側に化粧カバー３８を用いて構成している。
【００３１】
冷蔵室ダクト４０と断熱仕切壁２５の結合は、冷蔵室ダクト４０の断熱部３９をインロウの構成で、送風機３４が収容された圧入部３５の開口に差し込む形で装着するようにしている。この装着により、圧入部３５も冷気通路４２の一部として構成されている。インロウの構成の接触部分には、シール材（図示なし）を設けて、冷気４１の漏れを防止するようにしている。
【００３２】
４７は、断熱仕切壁２５の上板３７ｂを冷蔵室２６側に突出させて設けた断熱仕切壁立ち上がり部で、断熱仕切壁２５の送風機３４を配置した圧入部３５の上部に配置している。断熱仕切壁立ち上がり部４７の天井部４８には、冷気４１が吹き出す冷気開口４９が設けられ、この冷気開口４９と送風機３４の間の冷気吐出通路５０（圧入部３５も含まれる）に冷蔵室温調操作部５１が設けられている。
【００３３】
冷蔵室温調操作部５１は、モータ５１ａによりダンパ５１ｂの開度を変化させて自動的に冷蔵室２６に供給する冷気４１の量を調節する電動式で構成している。この冷蔵室温調操作部５１の温度検知は、冷蔵室ダクト４０の一部にサーミスタまたは熱伝対で構成する冷蔵室温度センサー５１ｃを設置して行うようにしている（冷蔵室温度センサー５１ｃの配置は、後述する）。
【００３４】
また、断熱仕切壁立ち上がり部４７の上から冷蔵室ダクト４０を覆う形で装着することで、断熱部３９を断熱仕切壁立ち上がり部４７の樹脂部３７（樹脂部３７は、断熱仕切壁２５の外周と一体化している）に押し付け、密閉された冷気吐出通路５０を構成している。また、断熱部３９を断熱仕切壁立ち上がり部４７の樹脂部３７に押し付ける時には、間にウレタンフォームまたはポリエチレンのシートからなるシール材料（図示なし）を挟んで冷気４１の漏れを防止するようにしている。冷蔵室２６の背面に冷蔵室ダクト４０を装着することで、冷却器室３０から送風機３４と冷気吐出通路５０を通って冷気通路４２に向かう冷気４１の流路を構成している。冷気吐出通路５０に流入した冷気４１の一部は、分流通路５２を介して冷却器室カバー３１のスキマや開口部分を通って冷凍室２７に吹き出すようにしている。
【００３５】
図３のように、冷蔵室ダクト４０を外すと、断熱仕切壁立ち上がり部４７が露出し、送風機３４は、断熱仕切壁立ち上がり部４７の正面側の側部に設けた正面開口５３から、冷気吐出通路５０に連通する開口通路５４を介して取り外すようにしている。また、冷蔵室温調操作部５１は、断熱仕切壁立ち上がり部４７の天井部４８に開口した冷気開口４９から取り外しを可能としている。
【００３６】
５５は、冷凍室２７の温度を調整する冷凍室温調操作部で、冷蔵室ダクト４０に設けられ、この冷凍室温調操作部５５は、ボリューム等の抵抗器で構成し、冷蔵室ダクト４０の
冷気通路４２と独立した部分の断熱部３９の一部を利用して装着し、その調節ツマミ５５ａを冷蔵室２６内に臨ませている。
【００３７】
冷凍室温調操作部５５の温度検知部５５ｂは、冷凍室２７内の冷気４１の通過する位置の例えば、送風機３４により供給する冷気４１の一部は、分流通路５２から冷却器室カバー３１の開口部分を介して、冷凍室２７に流入するので、その近傍に設置するようにしている。温度検知部５５ｂは、サーミスタまたは熱電対で構成している。
【００３８】
５６は、冷蔵室２６内の上下に設けた複数個の棚板、５７は、冷蔵室２６の複数個の棚板５６の最下段の棚板５６ａの下方に設けた冷蔵室ケース（野菜ケース等）である。また、５８は、冷凍室２７に設けた複数個のケースである。冷蔵室ダクト４０の複数個の側面吐出口４７は、この上下複数段に設けた複数個の棚板５６の天井に沿って冷気４１を吹き出すようにしている。
【００３９】
５９は、冷蔵室ダクト４０に設けた照明手段で、照明手段５９は、冷蔵室ダクト４０に設けるときに断熱部３９の内部に配置し、冷蔵室ダクト４０内に流入する冷気４１と接触しないようにしている。照明手段５９は、Ｙの字状の冷気通路４２の分岐した部分の上方と上部吐出口４３との間に設け、冷蔵室２６内の照明を行うようにしている。照明手段５９は、複数個の半導体発光素子（ＬＥＤ）６０で構成され、このそれぞれの半導体発光素子６０は、冷蔵室２６内の複数個の棚板５６に沿って棚板５６間に配置し、棚板５６間の照明を行うようにしている。
【００４０】
また、照明手段５９を覆う照明カバー（図示なし）により、光を拡散して、広範囲の棚板５６間の照明を行なうようにしている。この場合の複数個の棚５６の配置は、標準的な配置であって例えば冷蔵庫本体２０の出荷時の配置を想定している。照明手段５９の配線は、冷蔵室ダクト４０の断熱部３９内を通り結線するようにしている。（図示なし）この照明手段５９の配置に合わせて、前記の冷蔵室温度センサー５１ｃを設置するようにしている。冷蔵室温度センサー５１ｃは、複数個の半導体発光素子（ＬＥＤ）６０の基板上の上下方向の一部に一体化されている。また、照明カバーに覆われるため、直接冷気４１に接触しないようにしている。
【００４１】
６１は、冷蔵庫本体２０の下部後方に配置した機械室で、圧縮機６２を設けている。６３は、冷蔵室ドア２８と冷凍室ドア２９の内面の外周部に装着したガスケットで、このガスケット６３を断熱箱体２４に押し付けて、シールを行うようにしている。
【００４２】
６４は、冷凍室２７の冷凍室ドア２９の内面から突出する内面周囲突起で、冷凍室ドア２９の内面の周壁の全体にわたって設けられている。この内面周囲突起６４と内箱２１または断熱仕切壁２５で、略水平の空間６５を構成し、この空間６５の沿面距離を拡大することで冷気４１の空間６５への侵できる入量を減少するようにしている。同様に冷蔵室２６の冷蔵室ドア２８の内面から突出する内面周囲突起６６を設け、内箱２１または断熱仕切壁２５で空間６７を構成して、この空間６７の沿面距離を拡大することで冷気４１の空間６７への侵入量を減少するようにしている。
【００４３】
以上のように構成された冷蔵庫において、その動作、作用を説明する。
【００４４】
冷却器３２で冷却されて生じる冷気４１は、送風機３４により冷蔵室２６と冷凍室２７に分配され供給するようにしている。冷蔵室２６には、冷蔵室ダクト４０の上部吐出口４３と側面吐出口４４から冷気４１が供給され、冷蔵室２６内を均一に循環するようにしている。送風機３４により供給する冷気４１の一部は、冷却器室３０から冷却器室カバー３１の開口部分を介して、冷凍室２７内を循環するようにしている。吐出された冷気４１は
、冷蔵室２６と冷凍室２７を冷却した後に、冷蔵室２６では、冷蔵室ダクト４０の側面吐出口４４の下方に設けた吸入口４５から吸入通路４６を通って冷却器３２に戻るようにしている。また、冷凍室２７では、冷却器室カバー３１の下部の開口部分から冷却器３２に戻るようにしている。
【００４５】
冷蔵室２６と冷凍室２７に供給する冷気４１の風量コントロールは、冷蔵室２６側は、断熱仕切壁立ち上がり部４７の天井部４８に設けた冷気開口４９の上流に設けた冷蔵室温調操作部５１により、冷気吐出通路５０の通路面積を調節することで行うようにしている。この冷蔵室温調操作部５１により冷却器室３０からファン３４を介して供給する冷気４１の冷蔵室ダクト４０に供給する割合を指示するようにしている。
【００４６】
この冷蔵室２６の冷気４１の割合に対して、冷凍室２７の温度調節は、冷蔵室ダクト４０に設けた冷凍室温調操作部５５の調節ツマミ５３ａで指示を行い、冷凍室２７内の温度検知部５５ｂの値を元に圧縮機６２をオンオフするか出力ダウンするかして行うようにしている。
【００４７】
照明手段５９は、断熱部３９の内に設けることで、冷気通路４２内の冷気４１と接触することが無く、熱交換や冷気４１の流れの乱れを起こさないようにしている。また、Ｙの字状の冷気通路４２の分岐部分の上方に配置し、冷気通路４２を妨げない部分を利用して、冷蔵室ダクト４０に一体化して着脱を可能にしている。また、照明手段５９は、数個の半導体発光素子５８で構成し、それぞれの半導体発光素子６０を棚５６間の照明を向上するように配置し、また照明カバー（図示なし）により、光を拡散して、広範囲の照明を行なうようにしている。
【００４８】
内箱２１を上下に仕切る断熱仕切壁２５は、冷蔵室２６の後方に設けた断熱仕切壁立ち上がり部４７の圧入部３５に送風機３４を圧入し、支持する。この送風機３４は、軸流ファンであり、その外周部には、緩衝材を巻いて挿入部分との隙間を詰めている。圧入支持された送風機３４は、冷蔵室ダクト４０を外して、断熱仕切壁立ち上がり部４７の正面側の側部に設けた正面開口５３から、冷気吐出通路５０に連通する開口通路５４を介して取り外すようにして、断熱仕切壁２５から独立して送風機３４を上方に取り除くことで、送風機３４の故障等のサービスを可能としている。
【００４９】
また、同様に断熱仕切壁立ち上がり部４７の天井部４８の冷気開口４９近傍に冷蔵室温調操作部５１を装着することで、断熱仕切壁立ち上がり部４７の天井部４８に開口した冷気開口４９から取り外し、点検、交換等の作業を容易にしている。冷蔵室温調操作部５１は、送風機３４と同じように冷気吐出通路５０内に圧入するかまたは、天井部４８近傍の樹脂部３７を利用してビスで固着するようにしている。
【００５０】
また、断熱箱体２４の組み立て工程では、送風機３４や冷蔵室温調操作部５１を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００５１】
また、冷蔵室ダクト４０は、断熱部３９の外側に吸入口４５を設け、冷蔵室２６内に流入する冷気４１と吸入通路４６に流入した冷気４１との接触を防止し、冷蔵室２６内に流入する冷気４１の温度上昇を防止するようにしている。
【００５２】
また、冷蔵室ダクト４０の側部に設けた複数個の側面吐出口４４は、冷蔵室２６内に上下複数段に設けた複数個の棚板５６の天井に沿って冷気４１を吹き出すようにし、冷気４
１が棚板５６の天井に沿って棚板５６間に拡大するようにしている。
【００５３】
以上のように、本実施の形態においては、断熱仕切壁２５内の冷気吐出通路５０に主要部を配置した送風機３４と、送風機３４の上方に断熱仕切壁２５の上板３７ｂを突出させて設けた断熱仕切壁立ち上がり部４７と、断熱仕切壁立ち上がり部４７の天井部４８に設けた冷気開口４９と、冷気吐出通路５０と冷気開口４９の間の送風機３４の下流側に、冷蔵室２６の温度調節を行う冷蔵室温調操作部５１を設けたので、冷蔵室ダクト４０の上部に冷蔵室２６に突出するような大きな構造物を構成する必要がなくなり、冷蔵室２６の庫内容積を拡大し、収納量を増加することができる。また、冷蔵室ダクト４０や冷蔵室温調操作部５１の組み立てを容易にして、組み立て工数を削減して低コスト化を行うことができる。
【００５４】
また、本実施の形態では、断熱仕切壁立ち上がり部４７は、冷蔵室２６の背面に冷蔵室ダクト４０を装着したので、冷気吐出通路５０と冷気開口４９が一体化した通路に構成され、冷蔵室ダクト４０の断熱部３９で構成した冷気通路４９との連通構成とシール構成が冷蔵室ダクト４０の装着だけで完結することになり、組み立てを簡素化し短時間化して低コスト化を行うことができる。
【００５５】
また、本実施の形態では、断熱仕切壁立ち上がり部４７は、冷蔵室ダクト４０を外すことで、送風機３４または冷蔵室温調操作部５１を着脱するようにしたので、送風機３４または冷蔵室温調操作部５１の着脱が容易となり、点検や部品の交換を短時間に行うことができる。
【００５６】
また、本実施の形態では、送風機３４を断熱仕切壁２５の正面からの投影面積内に配置したので、送風機３４を冷却器室３０に配置するような構成がなくなり、冷却器室３０の占有スペースを小さくすることが可能で、その分冷凍室２７等の内容積を拡大し、収納量を多くすることができる。
【００５７】
また、本実施の形態では、断熱仕切壁立ち上がり部４７は、正面側の側部に送風機３４を着脱するための正面開口５３を設けたので、冷蔵室ダクト４０を外すことで、正面開口５３が露出して、送風機３４の着脱を容易に行うことになり、メンテナンスを短時間で行うことができる。
【００５８】
また、本実施の形態では、吸入口４５の構成は断熱部３９の冷気通路４２の影響を受けないことになり、化粧カバー３８の材料と一体化させて簡素な構成にすることができる。
【００５９】
また、本実施の形態では、冷蔵室ダクト４０の側部に設けた複数個の側面吐出口４４は、冷蔵室２６内に設けた複数個の棚板５６の天井に沿って冷気４１を吹き出すようにしたので、冷気４１が棚板５６の天井に沿って拡大することになり、下部の棚板５６上にある収納物の全体をもれなく冷却することができる。
【００６０】
また、本実施の形態では、冷蔵室ダクト４０は、冷気４１を同一方向に供給し、冷気４１の吹き出し状態を統一して、冷気４１の吹き出しの均一化を図ることで、冷蔵室２６内の温度分布を均一にすることができる。
【００６１】
また、本実施の形態では、冷蔵室ダクト４０は、冷蔵室２６の背面から突出した側部に設けた複数個の側面吐出口４４から、冷蔵室２６の内壁の側部に向かって冷気４１を供給するようにしたので、冷蔵室２６の内壁に沿って冷気４１が移動し、収納物を包み込むような流れを形成することとなり、収納物を均一に冷却することができる。
【００６２】
また、本実施の形態では、冷蔵室ダクト４０は、冷気通路４２をＹの字状に設け、その上端に上部吐出口４３を設け、上部吐出口４３とＹの字状の冷気通路４２の分岐した部分の間に照明手段５７を設けたので、照明手段５９を設けることで冷蔵室２６内に不規則な突出部分を設ける必要がなくなり、冷蔵室２６内の冷気の循環を整流して、収納物を均一に冷却することができる。
【００６３】
また、本実施の形態では、冷蔵室２６内を照明する照明手段５７を備え、照明手段５９は、複数個の棚板５６に沿って、棚板５６間に複数個の半導体発光素子６０を配置したので、冷蔵室２６の複数個の棚５６に置かれた収納物に各半導体発光素子６０からの光が照射され、収納物の認識と取り出しを容易にすることができる。
【００６４】
また、本実施の形態では、照明手段５９は、照明カバー（図示なし）により光を拡散する程度を調整して、指向性の強い半導体発光素子６０の光でも棚５６間を主に照明することができ、光が分散し過ぎないようにして、効率よく収納物の判別を容易にすることができる。
【００６５】
また、本実施の形態では、照明手段５９は、照明カバー（図示なし）により光を拡散するので、指向性の強い半導体発光素子６０の光でも分散され、目に対して残像が残ることを防止することができる。
【００６６】
また、本実施の形態では、冷蔵室ダクト４０に照明手段５９を一体化したので、冷蔵室ダクト４０の組み立てやメンテナンスを容易に行うことができる。
【００６７】
また、本実施の形態では、照明手段５９の配置に合わせて、冷蔵室温度センサー５１ｃを設置し、複数個の半導体発光素子（ＬＥＤ）６０の基板上の上下方向の一部に一体化するようにしたので、照明カバーで覆われることになり、冷気４１に直接触れない部分に設置することで、安定した冷蔵室２６の温度測定を行うことができる。また、半導体発光素子（ＬＥＤ）６０の基板と一体化するので、着脱を容易に行うことができる。
【００６８】
また、本実施の形態では、冷凍室２７の冷凍室ドア２９内面から突出した内面周囲突起６４と内箱２１で略水平の空間６５を構成したので、この空間６５の沿面距離を調整することで冷気４１の空間６５への侵入量を減少するようにし、消費電力の増加を防止することができる。
【００６９】
また、本実施の形態では、冷蔵室２６の冷蔵室ドア２８内面から突出した内面周囲突起６６と内箱２１で略水平の空間６７を構成したことにより、この空間６７の沿面距離を調整することで冷気４１の空間６７への侵入量を減少するようにし、消費電力の増加を防止することができる。
【００７０】
また、本実施の形態では、断熱仕切壁２５は、後方に設けた挿入部分に送風機３４を圧入し、支持しているので、冷蔵室ダクト４０を取り外すことで、断熱仕切壁２５から独立して送風機３４を上方に取り除くことで、容易に送風機３４の故障等のサービスを可能とすることができる
また、断熱仕切壁立ち上がり部４７の天井部４８の冷気開口４９近傍に冷蔵室温調操作部５１を装着したので、点検、交換等の作業を容易することができる。
【００７１】
なお、冷蔵室温調操作部４７は、電動式に替えて機械式や手動式のダンパを用いることも可能で、更にコストダウンを図るために固定開口の構成にすることも可能である。
【００７２】
なお、冷蔵室温調操作部５１の冷蔵室温度センサー５１ｃは、照明手段５９の近傍に照
明手段５９と同じ基板上に組み立て、一体化することも可能である。
【００７３】
（実施の形態２）
図４は、本発明の第２の実施の形態における冷蔵庫の側面の要部断面図である。
【００７４】
図４において、送風機３４は、断熱仕切壁立ち上がり部４７内に固定され、その周囲を断熱部材６８で覆う構成にしている。送風機３４の下流側には、冷気吐出通路５０が設けられ、上流側には、冷気吸い込み通路６９が断熱仕切壁２５を貫通して設けられている。
【００７５】
冷気吐出通路５０の一部から分流通路５２が断熱仕切壁２５を貫通して設けられている。
【００７６】
以上のように構成された冷蔵庫において、その動作、作用を説明する。
【００７７】
冷却器室３０から送風機３４に向かって、冷気吸い込み通路６９を介して冷気４１が流入し、冷気吐出通路５０に流入した冷気４１の一部は、分流通路５２を介して冷却器室カバー３１のスキマや開口部分を通って冷凍室２７に吹き出すようにしている。冷気４１の大半は、冷気吐出通路５０から冷蔵室温調操作部５１を通過することで流量を調整しながら冷蔵室ダクト４０の冷気通路４２の上部吐出口４３と側面吐出口４４から冷蔵室２６内に供給するようにしている。
【００７８】
以上のように、本実施の形態においては、送風機３４は、断熱仕切壁立ち上がり部４７内に固定されたので、断熱仕切壁立ち上がり部４７に送風機３４専用の区間が構成することになり、断熱仕切壁２５の冷気４１の通過のための分流通路５２と冷気吸い込み通路６９の開口面積を小さくすることになり、断熱仕切壁の２５断熱領域が増加し、冷凍室２７の断熱性能を向上することができる。
【００７９】
また、本実施の形態では、断熱仕切壁立ち上がり部４７の中に断熱部材６８に覆われた送風機３４の部屋が構成できたので、送風機３４の騒音を外部に漏らさないようにして静穏化を行うことができる。
【００８０】
（実施の形態３）
図５は、本発明の第３の実施の形態における冷蔵庫の側面の要部断面図である。
【００８１】
図５において、冷蔵室ダクト４０は、上部冷蔵室ダクト７０と下部冷蔵室ダクト７１に分割構成され、この下部冷蔵室ダクト７１を外すことで、送風機３４または冷蔵室温調操作部５１を着脱するようにしている。上部冷蔵室ダクト７０には、冷凍室温調操作部５５が、冷蔵室ダクト４０の冷気通路４２と独立した部分の断熱部３９の一部を利用して装着し、その調節ツマミ５５ａを冷蔵室２６内に臨ませている。下部冷蔵室ダクト７１には、断熱部３９と同じ断熱材を使用した下部断熱部７２を設けている。
【００８２】
以上のように構成された冷蔵庫において、その動作、作用を説明する。
【００８３】
下部冷蔵室ダクト７１は、断熱仕切壁２５の上方から断熱仕切壁２５の断熱部材３６に下部断熱部７２を差し込むようにし、上部冷蔵室ダクト７０に対しては、冷蔵室２６の背面に向かって押し付けてシールし、着脱可能としている。このシール部分には、シール材を設けている（図示なし）。
【００８４】
また、上部冷蔵室ダクト７０と断熱部３９の組み合わせ、下部冷蔵室ダクト７１と下部断熱部７２の組み合わせで、個別に取り外しを行うことで、各部品のメンテナンスを容易
に行うようにしている。
【００８５】
以上のように、本実施の形態においては、送風機３４または冷蔵室温調操作部５１の着脱に下部冷蔵室ダクト７１を外すだけで可能となるので、部品の点検や交換を短時間に行うことができ、またシールの再生作業も小さい範囲で行うので、シール性能の不具合を防止することができる。
【００８６】
また、本実施の形態では、上部冷蔵室ダクト７０と断熱部３９の単独の着脱を可能にしているので、上部冷蔵室ダクト７０に装着した冷凍室温調操作部５５のメンテナンスを容易に行うことができる。
【００８７】
また、本実施の形態では、上部冷蔵室ダクト７０と下部冷蔵室ダクト７１のそれぞれで着脱可能にしているので、メンテナンス等の作業時間を短縮することができる。
【産業上の利用可能性】
【００８８】
以上のように、本発明にかかる冷蔵庫は、冷蔵室の容積を拡大して、収納量を多くするとともに冷蔵室ダクトや冷蔵室温調操作部の組み立てを容易にして、組み立て工数を削減して低コスト化を行うので、家庭用の冷蔵庫だけでなく、業務用の冷蔵庫等にも適用できる。
【符号の説明】
【００８９】
２０  冷蔵庫本体
２１  内箱
２２  外箱
２４  断熱箱体
２５  断熱仕切壁
２６  冷蔵室
２７  冷凍室
２８  冷蔵室ドア
２９  冷凍室ドア
３２  冷却器
３４  送風機
３７ｂ  上板
３９  断熱部
４０  冷蔵室ダクト
４１  冷気
４２  冷気通路
４４  側面吐出口
４５  吸入口
４７  断熱仕切壁立ち上がり部
４８  天井部
４９  冷気開口
５０  冷気吐出通路
５１  冷蔵室温調操作部
【図１】
2011247561.tif 000003
【図２】
2011247561.tif 000004
【図３】
2011247561.tif 000005
【図４】
2011247561.tif 000006
【図５】
2011247561.tif 000007
【図６】
2011247561.tif 000008